(57)【要約】      （修正有）【課題】各区市町村の保険者、健保組合、協会けんぽ、共済組合等の各保険者及び／又は都道府県の保険者の保険者機能を正確に把握し管理することによって保険者の事業及び事務の効率化・合理化を促進し、併せて患者・被保険者に対し当事者として関わっていく等の保険者機能を強化するために役立つ通信装置を提供する。【解決手段】ホストコンピュータ、コンピュータ及び端末装置のコンピュータの演算部が、保険者に関する現況データをデータベースに記憶する手段と、記憶されたデータと当該データベースに予め記憶された現況データに対応する保険者の保険事業の運営評価及び保険者機能第三者評価の全国平均に関するデータとを比較する手段と、その比較データを百分率で表示する手段と、当該比較データを前記データベースに記憶する手段とにより構成する。【選択図】図３
0003154688.tif 000002
【実用新案登録請求の範囲】
【請求項１】
統括する政府機関の１つのホストコンピュータ（１）と各都道府県の保険者協議会のコンピュータ（２）とが通信回線（Ｌ）を通じて通信可能に接続されていて、かつ、当該保険者協議会のコンピュータ（２）と少なくとも一ヶ所の保険者の端末装置（３）とが通信回線（Ｌ）を通じて通信可能に接続されていて、これらのホストコンピュータ（１）、コンピュータ（２）及び端末装置（３）の各々は、表示手段（４，５）及びデータベース（６）を有する、保険者機能を第三者が評価するための通信装置にあって、この通信装置は、保険者の保険事業の運営及び保険者機能を評価する通信装置において、
前記ホストコンピュータ（１）、コンピュータ（２）及び端末装置（３）のコンピュータの演算部が、前記保険者に関する現況データを当該データベース（６）に記憶する手段と、当該記憶されたデータと当該データベースに予め記憶された現況データに対応する保険者の保険事業の運営評価及び保険者機能第三者評価の全国平均に関するデータとを比較する手段と、その比較データを百分率で表示する手段と、当該比較データを前記データベース（６）に記憶する手段とから構成されていることを特徴とする通信装置。
【請求項２】
前記現況データ及び前記現況データに対応する全国平均データは、人権への配慮、被保険者ニーズの把握、総合的支援、幅広いニーズに応える多様な主体の参入促進、サービスの質の向上に対する取り組み、サービスの効率性の向上に対する取り組み、情報の公開と周知、医療適正化、住民参画及び保険者機能強化の取り組みのうちの少なくとも２つの項目を含む比較データであって、前記演算部が、当該比較データを百分率で集計し、前記表示手段が、その集計結果に対応する各数値を、等角度にかつ当該数値に比例した長さで半径方向にプロットして表示することを特徴とする請求項１に記載の通信装置。
【請求項３】
前記現況データ及び前記現況データに対応する全国平均データは、総合評価、企画力、実行力及び検証力のうちの少なくとも２つを含む比較データであって、前記演算部が、当該比較データを百分率で集計し、前記表示手段（４，５）が、その集計結果に対応する各数値を、等角度にかつ当該数値に比例した長さで半径方向にプロットして表示することを特徴とする請求項１に記載の通信装置。
【考案の詳細な説明】
【技術分野】
【０００１】
本考案は、統括する政府機関の１つのホストコンピュータと各都道府県の保険者協議会のコンピュータとが通信回線を通じて通信可能に接続されていて、かつ、当該保険者協議会のコンピュータと少なくとも一ヶ所の保険者の端末装置とが通信回線を通じて通信可能に接続されていて、これらのホストコンピュータ、コンピュータ及び端末装置の各々は、表示手段及びデータベースを有する、保険者機能を第三者が評価するための通信装置にあって、この通信装置は、保険者の保険事業の運営及び保険者機能を評価する通信装置に関する。
【背景技術】
【０００２】
被保険者に対して安全で質の良い保健・医療・介護・福祉サービスを提供し、他方で被保険者のために保険料及び税金を効率的に活用するには、厚生労働省（政府機関）の指導の下で、各都道府県の保険者協議会が、管轄とする各保険者（市区町村国民健康保険、組合保健、市区町村介護保険、広域連合組合後期高齢者医療その他の保険者）の保健事業の運営を客観的に評価して、保険者機能を強化することが必要である。しかし、保険者機能強化の根拠となる保険者機能の客観的な評価はこれまで殆ど実施されていなかった。
【考案の開示】
【考案が解決しようとする課題】
【０００３】
本考案の課題は、各区市町村の保険者、健保組合、協会けんぽ、共済組合等の各保険者及び／又は都道府県の保険者の保険者機能を正確に把握し管理することによって保険者の事業及び事務の効率化・合理化を促進し、併せて患者・被保険者に対し当事者として関わっていく等の保険者機能を強化するために役立つ通信装置を提供することにある。
【課題を解決するための手段】
【０００４】
この考案は、ホストコンピュータ１、コンピュータ２及び端末装置３のコンピュータの演算部が、保険者に関する現況データをデータベース６に記憶する手段と、当該記憶されたデータと当該データベースに予め記憶された現況データに対応する保険者の保険事業の運営評価及び保険者機能第三者評価の全国平均に関するデータとを比較する手段と、その比較データを百分率で表示する手段と、当該比較データを前記データベース６に記憶する手段とから構成されていることによって解決される。
【考案の効果】
【０００５】
１つの都道府県内の各市区町村ごとの保険者機能評価に関する現況データとその平均との比較結果、及び、各都道府県ごとの保険者機能評価に関する現況データとその平均との比較結果が、本考案の通信装置の表示手段を通じて簡単にかつ明瞭に把握できる。その結果、統括する政府機関（厚生労働省）及び／又は各都道府県の保険者協議会が、管轄する各保険者に対して的確な指導・助言を実施することができる。その結果、保険事業の運営にかかる費用の効率性、透明性及び公平性が図られる。
【図面の簡単な説明】
【０００６】
【図１】本考案の保険者の保険事業の運営を評価する通信装置を示す。
【図２】ホストコンピュータ、コンピュータ及び端末装置の構成を示す。
【図３】表示手段（ディスプレイ）上に表示される比較結果の出力イメージの一例を示す。
【図４】表示手段（ディスプレイ）上に表示される比較結果の出力イメージの一例を示す。
【考案を実施するための最良の形態】
【０００７】
以下に、本考案の保険者の保険事業の運営を評価する通信装置を図面に基づいて詳しく説明する。
【０００８】
図１は、本考案の保険者の保険事業の運営を評価する通信装置を示す。統括する政府機関（厚生労働省）の１つのホストコンピュータ１と各都道府県の保険者協議会のコンピュータ２とが通信回線（Ｌ）を通じて通信可能に接続されている。さらに、当該保険者協議会のコンピュータ２と少なくとも一ヶ所の保険者の端末装置３とが通信回線Ｌを通じて通信可能に接続されている。通信回線Ｌは、公知のインターネットや専用の通信回線等である。これらのホストコンピュータ１、コンピュータ２及び端末装置３の各々は、表示手段、すなわちディスプレイ４及びプリンタ５並びにデータベース６を有する。
【０００９】
本考案の通信装置は、ホストコンピュータ１、コンピュータ２及び端末装置３のコンピュータの演算部が、保険者に関する現況データをデータベース６に記憶する手段と、当該記憶されたデータと当該データベースに予め記憶された現況データに対応する保険者の保険事業の運営評価及び保険者機能第三者評価の全国平均に関するデータとを比較する手段と、その比較データを百分率で表示する手段と、当該比較データを前記データベース６に記憶する手段とから構成されている。
【００１０】
現況データ及び現況データに対応する全国平均データとしては、人権への配慮、被保険者ニーズの把握、総合的支援、幅広いニーズに応える多様な主体の参入促進、サービスの質の向上に対する取り組み、サービスの効率性の向上に対する取り組み、情報の公開と周知、医療適正化、住民参画及び保険者機能強化の取り組みが挙げられる。前記演算部が、当該比較データを百分率で集計し、表示手段４，５が、その集計結果に対応する各数値を、等角度にかつ当該数値に比例した長さで半径方向にプロットして表示する。
【００１１】
図３は、表示手段（ディスプレイ４及び／又はプリンタ５）上に示される比較結果の出力イメージの一例を示す。特定の区市町村又は特定の都道府県Ａとそれに対応する平均とを比較することができる。平均は、コンピュータの演算部が、全国の区市町村の保険者、健保組合、協会けんぽ、共済組合等の各保険者及び／又は都道府県の保険者に関する現況データを集計することによって計算されてデータベース６に記憶される。この表示された結果によれば、Ａでは、多様な主体の支援、住民参画及び人権への配慮については比較的取り組みが進んでいるが、ニーズの把握、サービスの質の向上、サービスの効率性の向上及び情報公開については改善の余地が大きいことが簡単にかつ明瞭に把握できる。
【００１２】
上述した人権への配慮等の各評価項目の詳細を表１に例示する。この表１中の各項目が数値化されて、現況データ及び現況データに対応する全国平均データとして表示手段４，６上に表示される。
【００１３】
【表１】
0003154688.tif 000003
0003154688.tif 000004
0003154688.tif 000005
0003154688.tif 000006
【００１４】
その他の表示の例が図４中に示されている。この場合、現況データ及び現況データに対応する全国平均データは、総合評価、企画力、実行力及び検証力である。
【符号の説明】
【００１５】
１    ホストコンピュータ
２    コンピュータ
３    端末装置
４    表示手段
５    表示手段
６    データベース
Ｌ    通信回線
【図１】
0003154688.tif 000007
【図２】
0003154688.tif 000008
【図３】
0003154688.tif 000009
【図４】
0003154688.tif 000010